(57)【特許請求の範囲】
【請求項１】
上部の一対と下部の一対の少なくとも二対のガイドレールであって、該各対が内側のガイドレールと外側のガイドレールとを備え、該各ガイドレールが飾り棚の内側の引戸と外側の引戸にそれぞれ接続される少なくとも二対のガイドレールと、
上部の機械的手段と下部の機械的手段の少なくとも二つの機械的手段であって、前記飾り棚の頂部及び底部において、軸受に回転可能に支持される水平な第１のロッドと、該第１のロッドを保持するように前記軸受の内側に設けられる環状体と、を備え、前記少なくとも一つのガイドレールを移動させるように構成されると共に前記少なくとも一つのガイドレールに係合され、第１の位置と第２の位置との間で前記少なくとも一つのガードレールを選択的に移動させ、前記第１の位置では、前記外側の引戸及び前記内側の引戸が前記ガイドレールに沿ってスライド可能なように前記外側の引戸と前記内側の引戸が異なる平面に配置され、前記第２の位置では、前記外側の引戸の表面と前記内側の引戸の表面が同一平面上に配置されるように構成される機械的手段と、
前記上部の機械的手段に接続される内側及び外側の吊り金物であって、前記内側の吊り金物は前記内側の引戸を前記内側のガイドレールに移動可能に結合し、前記外側の吊り金物は前記外側の引戸を前記飾り棚の上側で前記外側のガイドレールに結合し、前記外側の吊り金物は前記内側の引戸と前記内側のガイドレール上に延びるブリッジエレメントを備える内側及び外側の吊り金物と、
転位駆動装置を介して前記上部の機械的手段を前記下部の機械的手段に接続する上下方向に設けられる第２のロッドと、
を備え、前記転位駆動装置の作動に伴い、前記第２のロッドが引っ張られ、前記環状体及び前記第１のロッドが前記軸受内で回転されることにより、前記外側の引戸を移動させることを特徴とする飾り棚の引戸のためのシステム。
【請求項２】
前記転位駆動装置は、
ａ）手動と、
ｂ）電気式と、
ｃ）空気式と、
ｄ）水力
のうちの少なくとも１つの方式により駆動される請求項１に記載のシステム。
【請求項３】
前記内側及び外側のガイドレールは溝を有している請求項１に記載のシステム。
【請求項４】
前記内側のガイドレールと外側のガイドレールはお互いに実質的に平行になっている請求項１に記載のシステム。
【請求項５】
前記転位駆動装置に結合される作動スイッチをさらに備え、前記転位駆動装置が前記作動スイッチの作動により前記引戸を前記一つの位置から前記他の位置に移動させるようになっている請求項１に記載のシステム。
【請求項６】
複数の前記軸受の内側の環状体はそこで少なくとも一つの他のロッドをしっかりと保持し、それにより前記転位駆動装置が前記複数の軸受を回転可能にする請求項１に記載のシステム。
【発明の詳細な説明】
【技術分野】
【０００１】
本発明は引戸に関し、特に、完全に閉鎖している時に実質的に同一平面にあるような戸に関する。
【背景技術】
【０００２】
多くの飾り棚や他の囲い容器が引戸に装備されている。そのような構成は操作にはかなり便利であるが、この設計は本質的に好ましくない。戸を自由にスライドさせるため、戸は異なる平面にセットされなければならない。したがって、戸が完全に閉鎖されると、埃、湿気、及び他の望ましくない物質が飾り棚に入り込む隙間ができる。さらにその上、同一の隙間は飾り棚をしっかりと固定するのを難しくさせる。分離した戸は審美的にアピールしない。
【０００３】
実質的に同一平面に戸を動かす各種手段を使用する引戸を供給することによりこれらの欠点の解決策を提供する試みがこの技術でなされている。例えば、米国特許４５６５０３１、欧州特許０１２４１９６、及び米国特許５２８７６５３はすべて、戸をお互いに実質上平行にスライドさせる引戸の配置を開示している。引戸の通常の実質的に平行な動きに加えて、その分野でのそのような試みは、同様に横方向への及び又は横からの動きを含む使用者の操作を要求する。欧州特許０１９３５０４は、複数のスプリングに頼る同様の装置を開示し、使用者は第１の戸と実質的に同一の平面に第２の戸を動かすため圧力を掛けるところを正確に知らなければならないので、装置の操作が不正確になる特徴を有している。さらにその上、そのような解決策により使用される多数の部品及び構成要素はそれらを非常に破損し易くし、一定の保守点検が必要となる。
【発明の開示】
【発明が解決しようとする課題】
【０００４】
したがって、その技術の欠点を克服し、実質的に同一平面での引戸の整列のための単純で費用効果の高いシステムを提供することが本発明の目的である。
【課題を解決するための手段】
【０００５】
本発明の実施の形態では、システムは対応するガイドレールにスライド可能に結合される少なくとも１つの内側及び外側の引戸を含んでいる。外側の引戸に結合されるガイドレールは第１の位置と第２の位置の間で引戸機構により選択的に移動可能である。第１の位置では、使用者はガイドレールに沿って外側及び内側の引戸をスライド可能であり、第２の位置では、外側の引戸の表面が内側の引戸の表面と実質上、面一になっている。
【０００６】
本発明の実施の形態では、その機構は支持部に回転可能に取り付けられる少なくとも１つのロッドを備え、どのタイプの飾り棚にも対応可能である。
【０００７】
本発明の実施の形態では、ロッドは環状手段が貫かれるねじ山を有しており、それはナット、ほぞ穴等であってもよい。
【０００８】
本発明の実施の形態では、環状手段は外側のガイドレールにしっかりと適合されている。ロッドの回転により環状手段はねじ山に沿って縦に移動し、それにより外側の引戸を縦に移動させる。
【０００９】
本発明の実施例では、ねじ山の前記環状手段の移動方向はロッドの回転方向に依存する。
【００１０】
本発明の実施例では、ロッドは駆動装置により回転され、それはベルト駆動装置とはめば歯車駆動装置のうちの少なくとも１つを備えている
本発明の実施例では、前記ベルト駆動装置は回転駆動装置の周りに巻かれる少なくとも１つのベルトを備えている。
【００１１】
本発明の実施例では、前記駆動装置は、手動と、電気式と、空気式と、水力のうちの少なくとも１つにより操作可能となっている。
【００１２】
本発明の実施例では、前記内側及び外側のガイドレールはそれぞれ内側の引戸及び外側の引戸が合う溝を有している。
【００１３】
本発明の実施例では、前記内側のガイドレールと外側のガイドレールはお互いに実質的に平行になっている。
【００１４】
本発明の実施例では、吊り金物は前記外側の引戸を外側のガイドレールに結合する。
【００１５】
本発明の実施例では、前記吊り金物は前記内側の戸及び前記内側のガイドレールの上を越えて延びるブリッジエレメントを備えている。
【００１６】
本発明の実施例では、作動スイッチが前記駆動装置に有効に結合され、該駆動装置は前記作動スイッチの作動により前記外側の戸を前記第２の位置に引っ込めるようになっている。
【００１７】
本発明の実施例では、前記機構は、ａ）内側の環状体と前記支持部に取り付けられる外側の環状体とを有する少なくとも１つの軸受と、ｂ）転位駆動装置に適切に結合されると共に前記内側の環状体に回転可能に接続される第１のロッドと、ｃ）前記外側のガイドレールに適切に結合されると共に前記内側の環状体に回転可能に接続される第２のロッドとを備えている。前記転位駆動装置の操作により、前記内側の環状体の回転を可能にし、前記外側の引戸を前記第１及び第２の位置に選択的に移動させる。
【００１８】
本発明の実施例では、複数の前記軸受の内側の環状体はそこでロッドをしっかりと保持し、前記転位駆動装置が前記複数の軸受を回転可能にするようになっている。
【００１９】
本発明の実施例では、前記軸受は前記第２のロッドと実質的に一直線状に並ぶ突出部を有し、前記第２のロッドの上方への移動を制限し、前記ガイドレールの前記支持部からの脱離を防止する。
【００２０】
本発明の実施例では、前記転位駆動装置は、手動と、電気式と、空気式と、水力のうちの少なくとも１つにより操作可能となっている。
【００２１】
本発明の実施例では、前記転位駆動装置は前記第１のロッドの閉鎖位置と開放位置への選択的移動を可能にする。前記第１のロッドの前記閉鎖位置への移動は、前記第２のロッドとそれに接続される前記外側のガイドレールを前記第２の位置に引っ込めさせる方向に前記内側の環状体を回転させる。前記第１のロッドの前記開放位置への移動は、前記第２のロッドと前記外側のガイドレールを前記第１の位置に外方に押されるような方向に前記内側の環状体を回転させる。
【発明を実施するための最良の形態】
【００２２】
本発明と考えられる手段は、添付した図面を参照しつつ、例示だけのために与えられる以下の実施の形態の説明に照らしてより明確に理解されるだろう。
【００２３】
説明の簡略化及び明確化のため、図示の構成要素は必ずしも縮尺で描かれていない。例えば、幾つかの構成要素の寸法は明確化のため構成要素に対して誇張されている。さらに、適切と考えられる場合、参照符号は対応又は類似の構成要素を示す符号を繰返し使用する。
【００２４】
一実施の形態は、本発明の一例及び一手段である。「一実施の形態」、「実施の形態」又は「幾つかの実施の形態」は必ずしもすべて同一の実施の形態に関連しているとは限らない。
【００２５】
本発明の各種特徴は一つの実施の形態に関連させて説明しているが、その特徴は別々に又は適当な組合せで与えられてもよい。反対に、ここでは明確化のため、本発明は別々の実施の形態に関連させて説明されているが、本発明は一つの実施の形態でも実施可能である。
【００２６】
明細書中の「１つの実施の形態（one  embodiment）」、「一実施の形態（an embodiment）」、「幾つかの実施の形態（some  embodiments）」又は「他の実施の形態（other  embodiments）」の表現は本実施の形態に関連して説明される特定の特徴、構造又は特性が少なくとも１つの実施の形態に含まれることを意味するが、必ずしも本発明のすべての実施の形態に含まれるとは限らない。
【００２７】
ここで使用される語句及び用語は説明の目的のためだけであり、限定するものと解釈されるべきではないことが理解される。
【００２８】
本発明の原理及び教義の使用は添付した説明、図面及び例示に関連してより理解される。
【００２９】
ここに示された詳細は本発明の適用の制限と解釈されないことを理解すべきである。さらにその上、本発明は各種方法で実行又は実施可能であり、本発明は後述する説明に概略されるもの以外の実施の形態で実施可能であることが理解されるべきである。
【００３０】
「含んでいる」、「備えている」、「から成る」と言う用語及びそれらの文法上の変形の用語は、１つ以上の構成要素、特徴、段階、又はその完全体又は集まりの付加を除外するものではなく、それらの用語は構成要素、特徴、段階又は完全体を特定するものと解釈されるものであることが理解されるべきである。
【００３１】
「から本質的に成る」という語句及びその文法上の変形は、ここで使用される場合、追加の構成要素、段階、特徴、完全体又はその集まりを除外するものと解釈されるべきではなく、むしろ追加の特徴、完全体、段階、構成要素又はその集まりが、請求された構成要素、装置又は方法の基本的で新規な特徴を大いに変更しないと解釈されるべきである。
【００３２】
明細書又は特許請求の範囲が「追加の」構成要素に言及する場合、それは追加の構成要素が１つ以上あることを除外するものではない。
【００３３】
特許請求の範囲又は明細書が１つの構成要素に言及している場合、そのような表現はその１つの構成要素だけがあると解釈されるべきではないものと理解されるべきである。
【００３４】
構成要素、特徴、構造又は特性が含んでいてもよい、又は含むことができると明細書に記載されている場合には、その特定の構成、特徴、構造又は特性が含まれることを必ず要求されるものではないと理解されるべきである。
【００３５】
適用可能な場合、状態図、フロー図又はそれら両方は実施の形態を説明するために使用されるが、本発明はそれらの図又は対応する説明に限定されるものではない。例えば、フローはそれぞれ示されたボックス又は状態に従って、又は図示及び説明されたのとまったく同一の順序で動作される必要はない。
【００３６】
適用可能な場合、本発明の方法は、手動、自動、又はそれらの組合せで選択された段階又はタスクを実行又は完了することにより実施される。
【００３７】
特許請求の範囲及び明細書に示される説明、例示、方法及び材料は限定として解釈されるべきではなく、むしろ例示だけであると解釈されるべきである。
【００３８】
ここで使用される技術及び科学用語の意味は本発明の属する当業者により通常理解される意味であり、そうでなければ定義される。
【００３９】
本発明はここに説明されるものと同等又は類似の方法及び材料により試験又は実施することができる。
【００４０】
ここで使用する「底部」、「下方」、「頂部」及び「上方」という用語は必ずしも「底部」の構成要素が「頂部」の構成要素の下方であったり、又は「下方」の構成要素が実際に別の構成要素の「下方」であったり、又は「上方」の構成要素が実際に別の構成要素の「上方」であったりすることを示しているとは限らない。そのように、方向、構成要素又はそれらの両方は逆さになったり、回転したり、空間を移動したり、対角方向又は位置に配置されたり、水平又は垂直に配置されたり、或いは同様に変更されたりしてもよい。したがって、「底部」、「下方」、「頂部」及び「上方」という用語は例示の目的だけのために使用され、ある構成要素の相対位置又は配置を示し、第１及び第２の構成要素を示し、又はその両方を示している。
【００４１】
お互いに対して少なくとも２つの引戸の調整を可能にし、引戸の表面が実質上、面一表面を作るような新規なシステムが示されている（以下、「引戸システム」と呼ぶ）。引戸システムは飾り棚又は他の容器の引戸をしっかりと閉鎖するために使用され、安全性を増大させ、美的価値を増大させ、引戸を２つの別の平面から１つの平面に機械的に移動させることにより湿気及び埃をより有効に排除させる。この目的は、引戸の少なくとも１つのガイドレールを移動するように設けられる駆動装置を使用することにより達成される。例えば、引戸は内側及び外側の戸を備え、駆動装置は、例えば、外側の戸のレールを飾り棚の方へ又は飾り棚から移動させ、その結果として、例えば、内側の戸と実質的に同一平面へ又は同一平面から移動させるように設けられている。外側及び内側の戸のガイドレールが実質的に同一平面にない時、引戸は引戸のように操作する。しかし、一旦、外側の戸のガイドレールが内側のガイドレールと実質上、同一の平面に動かされると、内側の戸と外側の戸の間に実質上、隙間がなくなり、内側の戸と外側の戸は実質上、面一の表面を形成する。本発明の幾つかの実施の形態では、内側のガイドレールと外側のガイドレールは異なる平面にあるが、内側の戸と外側の戸で実質上、面一の表面を形成する。
【００４２】
戸の縁は実質上、同一平面であるので、それらは実質上、連続的な面を形成し、引戸はもはや自由にスライドしなくなる。ガイドレールの１つを動かす機械的手段を使用することにより、錠のように、外側のガイドレールの所望しない動きを防止する安全な特徴をさらに導入する選択肢がある。
【００４３】
引戸システムは複数の引戸に適合され、それにより単一平面で２以上の引戸を配置させることができることが理解されるべきである。
【００４４】
本発明は非常に少ない動作部品を備えているため、非常に丈夫で破損し難い。さらにその上、本発明は製造するのが安価である。別の費用節約の特徴は、本発明を設置するために特別な訓練や経験が必要ないことである。本発明の操作はかなり直感的に分かり、特別な準備は要求されない。
【００４５】
今、本発明の実施の形態による、飾り棚１０に取り付けられる引戸システム１００の詳細な側面図である図１と、本発明の実施の形態による、引戸３０及び３２により閉鎖されると共に飾り棚１０の外側に面する表面が面一でない飾り棚１０に取り付けられる引戸システム１００の等測図である図２を参照する。
【００４６】
さらに、本発明の実施の形態による、引戸３０及び３２により開放されると共に飾り棚１０の外側に面する表面が面一でない飾り棚１０に取り付けられる引戸システム１００の等測図である図２と、本発明の実施の形態による、引戸により閉鎖されると共に飾り棚１０の外側に面する表面が実質上、面一である飾り棚１０に取り付けられる引戸システム１００の等測図である図８を参照する。
【００４７】
本発明の実施の形態によれば、引戸システム１００は飾り棚１０に取り付けられ、それは少なくとも内側及び外側の引戸３０及び３２をそれぞれ装備されている。引戸３０及び３２の対はそれぞれ、吊り金物４０及び４２により対応するガイドレールの対２６及び２８に機械的に結合され、閉鎖位置で共に、内側及び外側の引戸３０及び３２は飾り棚１０の開口部を覆うのに十分大きい。引戸システム１００は、例えば飾り棚１０に取り付けられると共に１つ以上のロッド２４に機械的に結合される駆動装置１６をさらに備えている。ロッド２４は、例えば、ベルト駆動、はめば歯車駆動又は他の適切な手段により駆動され、概略を後述するように、飾り棚１０の開口部の方へ又はそれから縦に外側のガイドレール２８を移動させる。駆動装置１６は、手動、水力、電気式、空気式、又は他の適切な手段により操作されてもよい。
【００４８】
例えば、ロッド２４はハンドル（図示せず）に機械的に結合され、矢印ＭＣＬＯＳＥとＭＯＰＥＮで概略示されているように使用者が選択的にロッド２４を回転できるようにし、それにより、矢印ＳＣＬＯＳＥとＳＯＰＥＮでそれぞれ概略示されているように外側の引戸３２を移動させる。本発明の実施の形態では、矢印ＭＣＬＯＳＥとＭＯＰＥＮで概略示された回転方向は当技術で公知な右回りのシステムに従う。
【００４９】
飾り棚１０は、とりわけ、クロゼット、洗面所の戸棚、台所用食器棚、文書保管用戸棚等を含むようなものであってもよい。さらにその上、本発明のシステムは、引き窓や他のタイプの対の引き板に適している。
【００５０】
本発明の実施の形態では、内側の引戸３０及び外側の引戸３２は飾り棚１０の開口部に適合するようにスライド可能に取り付けられていてもよい。幾つかの代わりの実施の形態では、内側の引戸３０及び外側の引戸３２は飾り棚１０の枠内にスライド可能に取り付けられている。
【００５１】
本発明の幾つかの実施の形態では、駆動装置１６は、例えば、飾り棚１０の頂部に取り付けられている。駆動装置１６から飾り棚１０の背面からの突出はそれに機械的に結合される取付駆動歯車１８を有するロッドである。飾り棚１０の背面に４つのベルト歯車２２が配置されている。
【００５２】
本発明の実施の形態では、１つのベルト歯車２２は飾り棚１０のそれぞれのコーナーに配置されている。駆動装置１６により駆動されるベルト２０は駆動歯車１８及び複数のベルト歯車の回りに巻かれている。この配置は図２，３，７，８に見られる。代わりの実施の形態では、さらなるベルト歯車２２が使用され、ベルト歯車２２は飾り棚１０の実質的に垂直又は実質的に水平な縁を横切って配置されている。飾り棚１０が例えば、大きい幅又は高さで、ベルト２０がさらなる支持を必要とする時、そのような選択が使用される。本発明の幾つかの実施の形態では、むしろ鎖がベルト２０より使用される。幾つかの代わりの実施の形態では、駆動装置１６はハンドルにより例えば、手動で、水力式又は他の手段で操作されてもよい。
【００５３】
前方端部にはそれぞれねじ山５０を有する１以上のロッド２４が各ベルト歯車２２に取り付けられていると共に飾り棚１０の前部に方に延びている。本発明の実施の形態では、引戸システム１００は各ロッド２４のため少なくとも１つの止め具４４を備え、飾り棚１０の頂部にロッド２４を結合する。本発明の幾つかの実施の形態では、複数の止め具４４が各ロッド２４を所定位置に固定するために使用される。
【００５４】
環状手段４８は、ほぞ穴、ナット等であってもよく、ねじ山５０のそれぞれに貫かれる。ねじ山５０は、図１，４，７，６，８，９，１１及び１２中の矢印ＳＯＰＥＮとＳＣＬＯＳＥでそれぞれ概略示されているように、環状手段４８がロッド２４上を進退させる。環状手段４８は外側のガイドレール２８に固く接続され、外側の引戸３２とロッド２４の間にスライド可能な接続を形成する。矢印ＳＣＬＯＳＥ又はＳＯＰＥＮで概略示されているように、環状手段４８は後退し、ロッド２４の回転の結果として、矢印ＭＣＬＯＳＥ又はＭＯＰＥＮでそれぞれ概略示されているように、後退する。
【００５５】
図５に示されているように、内側のガイドレール２６は内側の引戸３０の移動に沿う溝を備えている。内側のガイドレール２６は飾り棚１０の上部又は下部又は両方の水平面に配置され、飾り棚１０の前部からそれに実質的に平行に挿入される。内側のガイドレール２６は内側の引戸３０及び内側の戸の吊り金物を収容する構成を成している。内側のガイドレール２６は飾りだな０の対応する水平な表面に固く取り付けられている。
【００５６】
本発明の幾つかの実施の形態では、飾り棚１０の内側の引戸３０は特許ＷＯ2004056244に開示され、図１に示されたシステムにより内側のガイドレール２６に接続する。他の実施の形態では、他の吊り金物及び又は他の吊りシステムが使用される。
【００５７】
内側及び外側のガイドレール２６及び２８は内側及び外側の引戸３０及び３２のそれぞれの移動に沿った溝を有している。内側及び外側のガイドレール２６及び２８は、飾り棚１０の上部の実質的に水平な表面、下部の実質的に水平な表面、又は両方の実質的に水平な表面に配置される。外側のガイドレール２８は内側のガイドレール２６に実質的に平行である。外側のガイドレール２８は外側の引戸３２及び外側の戸の吊り金物４０を収容する構成を有している。外側のガイドレール２８は対応する環状手段４８に機械的に結合されている。本発明の幾つかの実施の形態では、外側の引戸３２は特許ＷＯ2004056244に開示されたシステムにより飾り棚１０に吊るされている。他の吊り金物及び又は他の吊りシステムが使用されてもよい。
【００５８】
本発明の実施の形態では、外側の戸の吊り金物４０は、図１，５及び１０に概略示されているように、例えば、ブリッジエレメント４１を備えている。ブリッジエレメント４１は外側の戸の吊り金物４０が外側の引戸３２に接続する前に内側の戸の吊り金物４２及び内側の戸３０の上を越えて延びることができるようにしている。
【００５９】
本発明の幾つかの実施の形態によれば、駆動装置１６を作動又は操作するための作動スイッチが、実質的に外側の引戸３２の外縁と整列される飾り棚１０の内側の鉛直表面に配置されていてもよい。外側の引戸３２の外縁が飾り棚１０の対応する縁と接触する時に作動スイッチは外側の引戸３２により作動され、それにより、作動スイッチを閉鎖する。一旦、作動スイッチが閉鎖されると、駆動装置１６は内側のガイドレール２６と実質的に同一平面に外側のガイドレール２８を前進させるように作動される。
【００６０】
カバー４６は両方のガイドレール２６及び２８と吊り金物を隠すと共に飾り棚１０に仕上げの外観を与えるために選択的に利用されてもよい。本発明の幾つかの実施の形態では、カバー４６は外側のガイドレール２８に組み込まれている。幾つかの実施の形態では、カバー４６は別々の構成要素であってもよい。
【００６１】
より十分に本発明を説明するため、以下に使用の形態を説明する。
【００６２】
本発明の一実施の形態では、飾り棚１０の内側の戸３０及び外側の引戸３２は開放位置と閉鎖位置の間を手動で移動される。本発明の別の実施の形態では、内側の戸３０、外側の戸３２、又は両方は駆動装置１６により開放位置と閉鎖位置の間を自動で移動する。
【００６３】
本発明の幾つかの実施の形態では、引戸システム１００は駆動装置１６と有効に関係付けられる入力装置（図示せず）を装備している。入力装置は、例えば、当技術で公知なような、遠隔制御操作装置、光学装置、音声認識装置であってもよい。内側及び外側の引戸３０及び３２が閉鎖される時、使用者は、例えば、入力装置を介して適切な入力を与えることにより、駆動装置１６を作動させてもよい。
【００６４】
駆動装置１６の作動が歯車２８を回転し、順番にベルト２０を回転させ、ベルト２０はベルト歯車２２を回転する。ベルト歯車２２の回転はロッド２４を回転させる。ロッド２４が回転すると、それらは環状手段４８にさらに貫かれる。この動作は図４，６，９及び１１中の矢印Ｓｉｎ，Ｓｏｕｔ及びＭｉｎ，Ｍｏｕｔでそれぞれ概略示される。ロッド２４が飾り棚１０にしっかり固定されるため、環状手段４８はロッド２４に沿って移動し、外側のガイドレール２８、外側の吊り金物４０、及び外側の引戸３２を飾り棚１０の表面の方に移動させる。ブリッジエレメント４１は外側の吊り金物４０を内側の吊り金物４２から干渉することなく移動させる。
【００６５】
代わりの実施の形態では、他の機構は駆動装置１６をロッド２４に連結するために使用され、例えば、回転の代わりに縦に移動するようになっている。
【００６６】
引戸システム１００は駆動装置１６と適切に関連される安全停止装置３８を備え、安全停止装置３８に掛止することが駆動装置１６の作動を停止させるようになっている。図６で分かるように、外側のガイドレール２８が内側のガイドレール２６と実質的に同一平面に移動される時に、安全停止装置３８が掛止される。
【００６７】
一旦、引戸３０及び３２が閉鎖位置において実質的に同一平面に配置されると、入力装置が駆動装置１６を再作動し、ガイドレール２６と実質的に同一平面から実質的に平行な平面に外側のガイドレール２８を戻すことが要求されるため、飾り棚１０はしっかりと固定される。
【００６８】
本発明の幾つかの実施の形態では、安全停止装置３８は外側の引戸３２がいずれかの方向に行き過ぎるのを防止するように作動する。
【００６９】
安全停止装置３８の連結は外側のガイドレール２８の移動を制限又は食い止めるいかなるタイプの手段であってもよい。
【００７０】
飾り棚１０の外側に面する表面が実質的に面一になるように外側の引戸３２を引っ込めることは引戸３０及び３２が重ね合わされた時にだけ可能であることが理解されるべきである。
【００７１】
今、本発明の別の実施の形態による、飾り棚１０の外側に面する戸の表面が面一でない時の引戸システム２００の位置の詳細な側面図を概略示す図１３と、図１３の実施の形態による、飾り棚の外側に面する戸の表面が面一でない時の引戸システム２００の位置の詳細な等測図を概略示す図１４を参照する。
【００７２】
本発明の幾つかの実施の形態によれば、引戸システム２００はそれぞれ内側の環状体２１１及び２１２を有する１以上の軸受２１０（例えば、玉軸受）を備えている。軸受２１０のそれぞれの内側の環状体２１１はロッド２７０をそこでしっかりと保持するように設けられ、例えば、多角形断面を有している。軸受２１０の外側の環状体２１２は飾り棚１０に取り付けられている。軸受２１０はロッド２７０を軸受２１０の内側の軸受２１１に挿入させる方法で飾り棚１０の頂部で実質上、お互いに整列されている。
【００７３】
本発明の幾つかの実施の形態によれば、ロッド２４０及びロッド２５０は、内側の環状体２１１の少なくとも１つにそれぞれ止め金具２２１及び２２２を介して回転可能に結合されている。止め金具２２１及び２２２は、例えば、ボルト、ピン、ネジ等であってもよい。本発明の実施の形態では、ロッド２４０及び２５０は飾り棚１０の前部の中央に実質的に整列される内側の環状体２１１に回転可能に結合されている。しかしながら、他の結合構造が使用されることを理解されるべきである。例えば、本発明の実施の形態では、２組のロッド２４０及び２５０が各軸受２１０の２つの内側の環状体２１１のそれぞれに接続されている。
【００７４】
ロッド２５０は外側のガイドレール２８の方に延び、それに機械的に結合される。ロッド２４０は飾り棚１０で孔２７８を貫通し、ロッド２４０に回転可能に結合され、そこから転位駆動装置２９０に結合される。転位駆動装置２９０は、手動、電気式、水力式、空気式等で操作されてもよい。転位駆動装置２９０は、図１５を参照しつつ後述されるように、内側の飾り棚１０に配置されている。
【００７５】
例えば、ロッド２４０はハンドル（図示せず）に機械的に結合され、使用者がＲｃｌｏｓｅ又はＲｏｏｐｅｎの方向にロッド２４０を選択的に移動させることができる。
【００７６】
図１３の実施の形態による、引戸システムの位置の概略側面図を概略示す図１５を参照する。
【００７７】
本発明の幾つかの実施の形態によれば、引戸３０及び３２が同一平面にない時、入力装置（図示せず）を介して転位駆動装置２９０を作動させることにより、矢印Ｒｃｌｏｓｅで概略示されているように、ロッド２４０が引っ張られる。結果として、内側の環状体２１１はロッド２７０により相互に連結され、矢印Ｗｃｌｏｓｅで概略示されているように、軸受２１０内で回転する。順番に、ロッド２５０は、矢印Ｑｃｌｏｓｅで概略示されているように、外側のガイドレール２８を引っ込めさせ、それにより、外側の引戸３２を引戸３０と実質上、同一平面に移動させる。結果として、飾り棚１０の外側に面する表面は実質上、面一となり、飾り棚１０は固定される。外側の引戸３２を引っ込めることは戸３０及び３２が重ね合わされた時だけ可能になることが理解されるべきである。
【００７８】
引戸システム２００は、矢印Ｗｃｌｏｓｅで概略示されているように、内側の環状体２１１の回転中、外側のガイドレール２８に結合されるロッド２５０の端部の上方への動きを防止するように設けられる。幾つかの実施の形態では、軸受２１０はガイドレール２８に向かってロッド２５０とほぼ整列して突出する突出部２６０を備えている。さらに、ロッド２５０は上方屈曲部分２５５を有している。そのため、内側の環状体２１１が、矢印Ｗｃｌｏｓｅで概略示されているように、その軸の周りの回転する時、屈曲部分２５５は突出部２６０に対して加圧され、それにより、ロッド２５が上方向に動くのを防止する。これは外側のガイドレール２８の飾り棚１０の頂部からの分離を防止する。他の構成はロッド２５０が上方に移動するのを防止することを可能にする。例えば、ロッド２５０はその端部で飾り棚１０の頂部カバーにしっかりと接続される実質的にＵ形状のガイドエレメント内に制限される。
【００７９】
さらに、図１３の実施の形態による、飾り棚１０の外側に面する戸の表面が実質上、面一の時の引戸システムの位置の詳細な概略図を概略的に示す図１６と、図１３の実施の形態による、飾り棚１０の外側に面する戸の表面が実質上、面一の時の引戸システム２００の位置の詳細な等測図を概略示す図１７を参照する。
【００８０】
本発明の実施の形態では、引戸３０及び３２は実質上、同一平面（すなわち、飾り棚１０の外側に面する表面）にあり、転移駆動装置２９０はその作動が飾り棚１０の開口部から引戸３２を離させるように構成されている。引戸３２が飾り棚１０の開口部から離される（すなわち、引戸３２及び引戸３０が同一平面にない）時、引戸３０及び又は引戸３２はそれぞれガイドレール２６及び又は２８内でスライド可能である。
【００８１】
転位駆動装置２９０の作動又は操作は、矢印Ｒｏｐｅｎで概略示されているように、ロッド２４０を転位駆動装置２９０の方に下方に移動させる。ロッド２４０の下方への移動は、矢印Ｗｏｐｅｎで概略示されているように、内側の環状体２１１を軸受２１０内でその軸の周りに回転させる。順番に、ロッド２５０は引戸３２の方向に内側の環状体２１１により押され、それにより、飾り棚１０の開口部の方向に外側のガイドレール２８をスライドさせる。結果として、外側の引戸３２は引戸３０の平面から離れ、それにより、飾り棚１０を開口させる。
【００８２】
さらに又は代わりに、引戸３２の下縁は転位駆動装置２９０に機械的に結合され、その結合は引戸３２の上縁の転位駆動装置２９０との実質的な結合のように構成される。
【００８３】
飾り棚１０の外側に面する戸の表面が実質的に面一の時、転位駆動装置２９０の作動は、矢印Ｒｏｐｅｎで概略示されているように、ロッド２４０を移動させる。順番に、内側の環状体２１１は、矢印Ｗｏｐｅｎで概略示されているように、回転し、それにより、ロッド２５０を押し、外側は引戸３２に機械的に結合される。結果として、引戸３０及び又は３２は内側及び外側のガイドレール２６及び又は２８をそれぞれ自由にスライドする。
【００８４】
図１８ａは、図１３の実施の形態による、外側の戸の表面が面一でない、引戸により閉鎖されるように設けられる飾り棚１０の引戸システムの等測図である。
【００８５】
図１８ｂは、図１３の実施の形態による、外側の戸の表面が実質的に面一である、引戸により閉鎖されるように設けられる飾り棚１０の引戸システムの等測図である。
【００８６】
本発明は実施の形態の限定される数に関連して説明され、これらは本発明の範囲の制限と解釈されるべきではなく、むしろ幾つかの実施の形態の例示と解釈されるべきである。当業者は本発明の範囲内にある他の可能な変形、変更、及び適用を想像するだろう。したがって、本発明の範囲はここまで説明されたことにより限定されるべきではなく、添付した請求項及びそれらの法上同等物によるものである。
【図面の簡単な説明】
【００８７】
【図１】本発明の実施の形態において、飾り棚に取り付けられる引戸システムの詳細な側面図である。
【図２】本発明の実施の形態において、引戸により閉鎖され、外側に面する表面が同一平面ではない飾り棚の引戸システムの等測図である。
【図３】本発明の実施の形態において、引戸により開放され、外側に面する表面が同一平面ではない飾り棚の引戸システムの等測図である。
【図４】本発明の実施の形態において、飾り棚の外側に面する戸の表面が同一平面ではない時のガイドレールの位置を詳細に示す等測図である。
【図５】本発明の実施の形態において、飾り棚の外側に面する戸の表面が同一平面ではない時の吊り金物の位置を詳細に示す等測図である。
【図６】本発明の実施の形態において、飾り棚の外側に面する戸の表面が同一平面ではない時の別の引戸を詳細に示す概略側面図である。
【図７】本発明の実施の形態において、戸の表面が同一平面ではない別の引戸を示す概略側面図である。
【図８】本発明の実施の形態による引戸により閉鎖され、外側に面する表面が実質的に同一平面の飾り棚の引戸システムの等測図である。
【図９】本発明の実施の形態において、飾り棚の外側に面する戸の表面が同一平面の時のガイドレールの位置を詳細に示す等測図である。
【図１０】本発明の実施の形態において、飾り棚の外側に面する戸の表面が実質的に同一の時の吊り金物の位置を詳細に示す等測図である。
【図１１】本発明の実施の形態において、飾り棚の外側に面する戸の表面が実質的に同一の時の引戸システムを詳細に示す概略側面図である。
【図１２】本発明の実施の形態において、飾り棚の外側に面する戸の表面が実質的に同一の時の飾り棚の別の引戸システムを示す概略側面図である。
【図１３】本発明の実施の形態において、飾り棚の外側に面する戸の表面が同一平面ではない時の引戸システムの位置を詳細に示す概略側面図である。
【図１４】図１３の実施の形態において、飾り棚の外側に面する戸の表面が同一平面ではない時の引戸システムの位置を詳細に示す等測図である。
【図１５】図１３の実施の形態において、飾り棚の外側に面する戸の表面が実質的に同一平面の時の引戸システムの位置を詳細に示す等測図である。
【図１６】図１３の実施の形態において、飾り棚の外側に面する戸の表面が実質的に同一平面の時の引戸システムの位置を詳細に示す等測図である。
【図１７】図１３の実施の形態において、飾り棚の外側に面する戸の表面が実質的に同一平面の時の引戸システムの位置を詳細に示す等測図である。
【図１８ａ】図１３の実施の形態において、引戸により閉鎖されるように設けられ、外側の戸の表面が同一平面ではない飾り棚の引戸システムの等測図である。
【図１８ｂ】図１３の実施の形態において、引戸により閉鎖されるように設けられ、外側の戸の表面が実質的に同一平面の飾り棚の引戸システムの等測図である。
【図１】
0005523710.tif 000002
【図２】
0005523710.tif 000003
【図３】
0005523710.tif 000004
【図４】
0005523710.tif 000005
【図５】
0005523710.tif 000006
【図６】
0005523710.tif 000007
【図７】
0005523710.tif 000008
【図８】
0005523710.tif 000009
【図９】
0005523710.tif 000010
【図１０】
0005523710.tif 000011
【図１１】
0005523710.tif 000012
【図１２】
0005523710.tif 000013
【図１３】
0005523710.tif 000014
【図１４】
0005523710.tif 000015
【図１５】
0005523710.tif 000016
【図１６】
0005523710.tif 000017
【図１７】
0005523710.tif 000018
【図１８ａ】
0005523710.tif 000019
【図１８ｂ】
0005523710.tif 000020